Podtech/llm-jp-corpus-v4-ja_patent huggingface dataset:
(57)【要約】      （修正有）【課題】衝撃緩和性を有しながら、軽快で、デザイン性、汎用性が高く、髪の乱れを生じにくい自転車用ヘルメットを提供する。【解決手段】ヘルメット帽体の内側に衝撃緩和性のある半球形クッションを組み込み、この半球形クッションをファスナーにより帽体から脱着自在とし、ヘルメット帽体から取り外した場合には日常的に使用できる汎用性のある帽子として構成する。【選択図】図２
0003106274.tif 000002
【実用新案登録請求の範囲】
【請求項１】
ヘルメットの内側に衝撃緩和性のある半球形クッションを脱着可能に組み込み、該クッションをヘルメットから外した状態において日常用途に使用する帽子として構成したことを特徴とする帽子型クッション脱着式ヘルメット。
【考案の詳細な説明】
【技術分野】
【０００１】  この考案は、自転車乗車、スポーツ、建設作業などに使用する軽量ヘルメットの構造に関する。
【背景技術】
【０００２】  乗車用安全帽は道路交通法で装着を義務付けされ、乗馬用ヘルメットは欧州安全基準が国内でも参考として採用されている。これらはいずれも事故時の衝撃が大きいことから、当然の安全要件である。しかし自動車と同じ路上を走る自転車のヘルメットについては、ＳＧマーク制度により認定基準は示されているが、着用は競技などの規則によるものを除き一般的には義務付けされていない。しかしながら安全確保上では重要なものであるため、ボランタリーにでも着用することが望ましい。ボランタリーな着用で障害になるのは、バイク用あるいは自転車競技用の市販品は、日常的な近距離の使用に対してあまりにも重装備で使いにくく、かつ高価である。また女性サイクリストにはヘルメットを脱ぐときに生じる髪の乱れが非常に気遣わしいものであり、ヘルメット普及の障害になっている。低速度での日常的な自転車使用に対して、ボランタリーなヘルメット着用を促進するためには、軽快で、デザインが良く、視界が良好で、かさばらず、脱いだときに髪の乱れを生じにくく、比較的廉価で、駐輪時に保管しやすいものが望ましい。一方で、万一に際しては、低速度であるとはいえ衝撃緩和性のあることが必須である。これらの要件を満たすものは、まだ市販されておらず、特許文献でも見あたらない。
【考案の開示】
【考案が解決しようとする課題】
【０００３】  課題は普及を図るために、衝撃緩和性を有しながら、軽快で、デザイン性、汎用性が高く、髪の乱れを生じにくいヘルメットを構成することである。
【課題を解決するための手段】
【０００４】  ヘルメット帽体内側に、弾力性のある半球形の帽子型クッションを取り外し可能に組み付け、この帽子型クッションをヘルメット帽体から取り外したときは日常的に使用できる汎用性のある帽子として構成する。
【考案の効果】
【０００５】  駐輪時、帽子型クッションを取り外したヘルメット帽体は堅牢な一枚皮で、雨にも強く洗浄も容易であり、自転車に吊り下げておいても廉価な構造のために盗難を懸念する必要がない。取り外した帽子型クッションは、デザインを工夫して帽子として使用することも、折りたたんで手提げ袋に収めることも可能である。髪の乱れを嫌う女性サイクリストにとっては、ヘルメット帽体のみを頭部から外して自転車に残しておき、帽子型クッションを頭に被ったままとすれば、髪の乱れを一切気にしないで済む。また、デザインの異なるものをいくつか用意して、付け替えることができる。この使いやすさにより、ボランタリーなヘルメット着用を促進する効果がある。またここでは自転車用として説明したが、一般スポーツ用、作業用としても反映することができる。
【考案を実施するための最良の形態】
【実施例】
【０００６】
【０００７】  本考案の実施例について図１のヘルメット着用状態の側面図および図２の帽子着用状態の側面図により説明する。図１が示すように、本考案は、自転車用衝撃緩和ヘルメットとして簡潔に構成されるが、樹脂製帽体１の内側に弾力性のある半球形の帽子型クッション２（以下、帽子２と弥する）を複数個のファスナー３で留めている。ファスナー３はナイロンファスナーなどの簡便なものでよい。帽体１の脱落を防止するため、あごひも４が取り付けられている。駐輪時は、帽体１のみを取り外して、自転車にぶら下げておけばよく、帽子２を図２に示すごとく、頭に被ったままで用足しに出かけることができる。帽子２は、太番手の毛糸編みを破線で示した図示の状態から折り返して厚地に仕立てても良い。また、バイザー５を帽子２と一体に構成して、走行時および日射時の目の保護にすることができる。なお自転車に乗るために帽体１と帽子型クッション（帽子）２およびあごひも４を結合した状態において、ＪＩＳ  Ｔ  ８１３４「自転車用安全帽」の要件を満たす必要がある。
【図面の簡単な説明】
【図１】実施例のヘルメット着用状態の側面図である。
【図２】実施例の帽子型クッション着用状態の側面図である。
【符号の説明】
１．  ヘルメットの帽体
２．  帽子型クッション（帽子）
３．  ファスナー
４．  あごひも
５．  バイザー
【図１】
0003106274.tif 000003
【図２】
0003106274.tif 000004
(57)【要約】【課題】  本考案は、農作業、土木建築作業や山菜取り等でヘルメットや帽子と一緒に使用される、頭部の通気性が良く、また耳部を塞がないで、裾を長くする構造の防塵フードを提供するものである。【解決手段】  本考案の防塵フードは、頭部の半分を覆う頭部形状に合わせた頭頂部分１及び後頭部分２とからなり、両脇の側頭部分３は耳が露出するように円弧状に切欠いた湾曲部４を形成する。本考案の防塵フードを被った状態では、頭部の頂上付近の頭頂部分１から背後の後頭部分２で覆い、さらに首筋回りは裾部分５および首部分６により覆われる。また、側頭部分３は円弧状に湾曲部４が形成されているので、耳が露出し、音を遮ることがないように配慮されている。そして、頭頂部分１及び後頭部分２には左右対称にメッシュ８が縫着されているので、通気性が良好となっている。【選択図】  図２
0003106241.tif 000002
【実用新案登録請求の範囲】
【請求項１】
頭部の半分を覆う頭部形状に合わせた頭頂部分及び後頭部分とからなり、両脇の側頭部分は耳が露出するように円弧状に切欠いた湾曲部を形成し、また、前記後頭部分の下端には中央が長く形成された円弧状の裾部分を連結し、さらに前記裾部分の左右端部に一体にそれぞれ前方に延びる長方形状の首部分を形成すると共に、前記頭頂部分及び後頭部分には、適宜大きさの切欠きを形成して該切欠きに網目状のメッシュを縫着したことを特徴とする防塵フード。
【請求項２】
前記首部分先端の表面及び裏面にはそれぞれ面ファスナーを設けて、首筋廻りに前記首部分を巻き付けて面ファスナーで固定できるように構成したことを特徴とする請求項１記載の防塵フード。
【考案の詳細な説明】
【技術分野】
【０００１】
本考案は、農作業、土木建築作業や山菜取り等でヘルメットや帽子と一緒に使用される防塵フードに関する。
【背景技術】
【０００２】
従来、フードは多種多様なものが開発されており、用途に応じて多くの人々に利用されている（特許文献１を参照）。
そのため、防塵フードを色々と改良して利便性を良くしたものが公知となっている。
しかし、既知の防塵フードは、頭部の通気性が悪く、また耳を塞ぐため音が遮断されて聞き取り難かったり、裾が短くて首筋にゴミや塵が入って痛かったりする欠点があった。
【０００３】
【特許文献１】特開平１１−６１５４４号公報
【考案の開示】
【考案が解決しようとする課題】
【０００４】
本考案は、農作業、土木建築作業や山菜取り等でヘルメットや帽子と一緒に使用される、頭部の通気性が良く、また耳部を塞がないで、裾を長くする構造の防塵フードを提供するものである。
【課題を解決するための手段】
【０００５】
本考案の防塵フードは、頭部の半分を覆う頭部形状に合わせた頭頂部分及び後頭部分とからなり、両脇の側頭部分は耳が露出するように円弧状に切欠いた湾曲部を形成し、また、前記後頭部分の下端には中央が長く形成された円弧状の裾部分を連結し、さらに前記裾部分の左右端部に一体にそれぞれ前方に延びる長方形状の首部分を形成すると共に、前記頭頂部分及び後頭部分には、適宜大きさの切欠きを形成して該切欠きに網目状のメッシュを縫着したものである。
また、本考案の防塵フードは、前記首部分先端の表面及び裏面にはそれぞれ面ファスナーを設けて、首筋廻りに前記首部分を巻き付けて面ファスナーで固定できるように構成したものである。
【考案の効果】
【０００６】
本考案の防塵フードによれば、頭頂部及び後頭部に細目網状のメッシュを縫着しているので、通気性に優れ、ヘルメットや帽子の下に着用しても汗を掻くことがない。
また、本考案の防塵フードによれば、耳が露出するように側頭部を湾曲状に切欠きしているので、音を遮ることがなく安全である。
さらに、本考案の防塵フードによれば、首筋を広く覆うので、首筋からゴミや塵が入ってチクチク嫌な思いをすることがなく、快適である。
【考案を実施するための最良の形態】
【０００７】
以下、本考案の防塵フードの一実施例を図面に基づいて、以下に説明する。
本考案の防塵フードは、図１の斜視図に示すように、木綿製の布地から形成され、頭部の半分を覆う頭部形状に合わせた頭頂部分１及び後頭部分２とからなり、両脇の側頭部分３は耳が露出するように円弧状に切欠いた湾曲部４を形成する。
また、前記後頭部分２の下端には中央（背骨が位置する個所）が長く形成された円弧状の裾（すそ）部分５を連結し、さらに前記裾部分５の左右端部に一体にそれぞれ前方に延びる長方形状の首部分６を形成する。
また、前記首部分６先端の表面及び裏面にはそれぞれ面ファスナー７を設けて、首筋廻りに前記首部分６を巻き付けて面ファスナー７で固定できるように構成する。
さらに、前記頭頂部分１及び後頭部分２には、適宜大きさの切欠き、例えば矩形状の切欠きを左右対称に形成して前記切欠きに網目状のメッシュ８を縫着する。
なお、頭頂部分１の額（ひたい）側に折り返し部９を設けて補強して頭部に本考案の防塵フードを載せ易いようにする。
【０００８】
次に、本考案の防塵フードの作用について、以下に詳細に説明する。
図２の側面図に示すように、本考案の防塵フードを被った状態では、頭部の頂上付近の頭頂部分１から背後の後頭部分２で覆い、さらに首筋回りは裾部分５および首部分６により覆われる。
また、側頭部分３は円弧状に湾曲部４が形成されているので、耳が露出し、音を遮ることがないように配慮されている。
そして、図３に示すように、頭頂部分１及び後頭部分２には左右対称にメッシュ８が縫着されているので、通気性が良好となっている。
【０００９】
したがって、図４の側面図に示すように、本考案の防塵フードの上に帽子１０を被っても、帽子１０内部の頭頂部分１はメッシュ８により覆われており、側頭部分３は耳が露出しており音を遮ることがない。
また、図５の正面図に示すように、首廻りは裾部分５および首部分６で覆われるので首筋からゴミや塵が入り込むことがない。
なお、本考案の実施例は、帽子１０で説明したが、ヘルメットでも同様の効果を生じるものである。
【図面の簡単な説明】
【００１０】
【図１】本考案の防塵フードの斜視図である。
【図２】本考案の防塵フードを着用した状態の側面図である。
【図３】本考案の防塵フードを着用した状態の背面図である。
【図４】本考案の防塵フードに帽子を着用した状態の側面図である。
【図５】本考案の防塵フードに帽子を着用した状態の正面図である。
【符号の説明】
【００１１】
１  頭頂部分
２  後頭部分
３  側頭部分
４  湾曲部
５  裾部分
６  首部分
７  面ファスナー
８  メッシュ
９  折り返し部
１０  帽子
【図１】
0003106241.tif 000003
【図２】
0003106241.tif 000004
【図３】
0003106241.tif 000005
【図４】
0003106241.tif 000006
【図５】
0003106241.tif 000007
(57)【要約】【課題】本体が布製または皮製の生地で形成されていても、窮屈な感じを与えない幼児用ズボンを提供することである。【解決手段】本体１が布製の生地で形成された幼児用ズボンの臀部２を緯編である丸編の生地で形成することにより、幼児がズボンの下にオムツ等を着用しても、その膨らみ分を伸縮性の優れた臀部２の丸編の生地で吸収し、尻部や腹部が圧迫されて窮屈な感じを与えないようにした。【選択図】図１
0003106217.tif 000002
【実用新案登録請求の範囲】
【請求項１】
本体が布製または皮製の生地で形成された幼児用ズボンにおいて、前記幼児用ズボンの臀部を、前記本体の生地の替りに緯編の生地で形成したことを特徴とする幼児用ズボン。
【請求項２】
前記臀部の生地に立体的な突出部を設けた請求項１に記載の幼児用ズボン。
【請求項３】
前記幼児用ズボンのウェスト部を、前記本体の生地の替りに緯編の生地で形成した請求項１または２に記載の幼児用ズボン。
【考案の詳細な説明】
【技術分野】
【０００１】
本考案は、幼児用ズボンに関する。
【背景技術】
【０００２】
幼児用ズボンを含めて、ズボンの生地は布製のものが多く、一部には本皮や合成皮革等の皮製やニット製のものもある。
伸縮性のない布製や皮製の生地で形成された幼児用ズボンは、幼児がズボンの下にオムツ等を着用すると、尻部や腹部を圧迫されて、窮屈に感じる問題がある。
【考案の開示】
【考案が解決しようとする課題】
【０００３】
そこで、本考案の課題は、本体が布製または皮製の生地で形成されていても、窮屈な感じを与えない幼児用ズボンを提供することである。
【課題を解決するための手段】
【０００４】
上記の課題を解決するために、本考案は、本体が布製または皮製の生地で形成された幼児用ズボンにおいて、前記幼児用ズボンの臀部を、前記本体の生地の替りに緯編の生地で形成した構成を採用した。
【０００５】
すなわち、臀部を緯編の生地で形成することにより、幼児がズボンの下にオムツ等を着用しても、その膨らみ分を伸縮性の優れた臀部の緯編の生地に逃がし、尻部や腹部が圧迫されて窮屈に感じることがないようにした。緯編の生地は横編でも丸編でもよい。
【０００６】
前記臀部の生地に立体的な突出部を設けることにより、オムツ等の膨らみ分を吸収して臀部の生地が凸曲面状に膨れ上がると、立体的な突出部が強調される趣向を得ることができる。
【０００７】
前記幼児用ズボンのウェスト部を、前記本体の生地の替りに緯編の生地で形成することにより、幼児のウェストにソフトなフィット感を与えることができる。
【考案の効果】
【０００８】
本考案の幼児用ズボンは、本体が布製または皮製の生地で形成された幼児用ズボンにおいて、臀部を本体の生地の替りに緯編の生地で形成したので、幼児がズボンの下にオムツ等を着用しても、その膨らみ分を伸縮性の優れた臀部の緯編の生地に逃がし、尻部や腹部が圧迫されて窮屈に感じることがないようにすることができる。
【０００９】
前記臀部の生地に立体的な突出部を設けることにより、オムツ等の膨らみ分を吸収して臀部の生地が凸曲面に膨れ上がると、立体的な突出部が強調される趣向を得ることができる。
【００１０】
前記幼児用ズボンのウェスト部を、前記本体の生地の替りに緯編の生地で形成することにより、幼児のウェストにソフトなフィット感を与えることができる。
【考案を実施するための最良の形態】
【００１１】
以下、図面に基づき、本考案の実施形態を説明する。この幼児用ズボンは、図１に示すように、本体１が布製の生地で形成され、臀部２とウェスト部３が緯編である丸編の生地で形成されている。臀部２とウェスト部３の丸編の生地は、いずれも本体１の布製の生地に縫い付けで取り付けられている。
【００１２】
図２に示すように、前記臀部２の丸編の生地には蛙のキャラクタがデザインされ、その口部４と手部５とが立体的な突出部として形成されている。これらの口部４と手部５は、図１に示したように、オムツ等の着用によって臀部２の丸編の生地が凸曲面状に膨れ上がると、立体的に立ち上がってキャラクタが生きているような趣向を与える。
【００１３】
上述した実施形態では、臀部の丸編の生地に蛙のキャラクタをデザインし、その口部と手部を立体的な突出部としたが、臀部のデザインは実施形態のものに限定されることはなく、立体的な突出部も任意にデザインすることができる。なお、ウェスト部は必ずしも緯編の生地にする必要はなく、本体の生地と同じにしてもよい。
【図面の簡単な説明】
【００１４】
【図１】幼児用ズボンの実施形態を示す外観斜視図
【図２】図１の臀部を拡大して示す斜視図
【符号の説明】
【００１５】
１  本体
２  臀部
３  ウェスト部
４  口部
５  手部
【図１】
0003106217.tif 000003
【図２】
0003106217.tif 000004
(57)【要約】      （修正有）【解決手段】右収納物固定袋１、左収納物固定袋２、マット３はタオル製などの布製を用い、一体となっている。右収納物固定袋１、左収納物固定袋２は袋形状であり、開口部近くに筒形状のひも通しをもうけている。ひもをゆるめることにより容易にミルクの空缶等５が袋へ装着でき、ひもを縛ることで、ミルクの空缶等５を装着を装着する。【効果】乳幼児がマットを使用して寝ることにより、寝返りをした場合にうつ伏せになる前にミルク缶によって体を止める。また左右の収納物固定袋には、調製粉乳９８０ｇ缶が装着可能となっており、空ミルク缶の廃物利用ができる。タオル製もしくは布製で、マットレスや布団わた等は使用しないため構造が簡易である。【選択図】図１
0003106214.tif 000002
【実用新案登録請求の範囲】
【請求項１】
マットの両端に収納物固定袋を設けたことを特徴とする乳幼児用寝返り防止マット
【請求項２】
前記収納物はミルク缶である請求項１記載の乳幼児用寝返り防止マット
【請求項３】
前記収納物固定袋が開口部近くに筒形状のひも通しを設けるものである請求項１又は２記載の乳幼児用寝返り防止マット
【考案の詳細な説明】
【技術分野】
【０００１】
本考案は、乳幼児の就寝用敷マットに係るものであり、敷布団の上に敷いて、乳幼児の就寝時の胴体部分に対応するものである。
【背景技術】
【０００２】
従来、この種の乳幼児用マットには、マットの両側縁に上方へ突縁を設けることにより、乳幼児のベッドからの転落の防止や、幼児が睡眠中どちらかの側部に動いても容易にマット中央に戻すことが可能となっているものが知られている。
【特許文献１】実用新案登録第３０７２９１９号
【特許文献２】実用新案登録第３０７５１５６号
【特許文献３】実用新案登録第３０４０２０４号
【考案の開示】
【考案が解決しようとする課題】
【０００３】
従来、乳幼児のうつ伏せ寝の状態での乳幼児突然死症候群の死亡事故が確認されている。また従来の技術で述べたものは敷きマット本体の形状により乳幼児の体を支える、もしくは転落を防止しているため、器具の大きさが大きくなり、生産に複雑な技術を要している。また従来調製粉乳を飲む乳幼児のいる家庭では、廃物になったミルク缶が多数発生している。
【課題を解決するための手段】
【０００４】
上記の目的を達成するために、本考案における敷マットは、乳幼児がマットを使用して寝ることにより、寝返りをうとうとした場合にうつ伏せになる前にミルク缶によって体を止め、乳幼児突然死症候群の発生を防ぐ。また左右の収納物固定袋には、調製粉乳９８０ｇ缶が装着可能となっており、空ミルク缶の廃物利用ができる。タオル製もしくは布製で、マットレスや布団わた等は使用しないため構造が簡易である。
【考案の効果】
【０００５】
乳幼児がこのマットを使用して寝ることにより、寝返りをうとした場合に、うつ伏せになる前に収納物によって体を止め、乳幼児突然死症候群の発生を防ぐ。また左右の収納物固定袋には、調製粉乳９８０ｇ缶が装着可能となっており、空ミルク缶の廃物利用ができる。タオル製もしくは布製で、マットレスや布団わた等は使用しないため構造が簡易である。
【考案を実施するための最良の形態】
【０００６】
乳幼児の寝返りをうつ伏せになる前に止めるという目的を最も軽量、簡易で、かつ廃物を利用して実現した。
【実施例１】
【０００７】
考案の実施の形態について図面を参照して説明する。
図１〜図２において、右収納物固定袋１、左収納物固定袋２、マット３はタオル製などの布製を用い、一体となっている。右収納物固定袋１、左収納物固定袋２は袋形状であり、開口部近くに筒形状のひも通しをもうけている。ひもをゆるめることにより容易にミルクの空缶等５が袋へ装着でき、ひもを縛ることで、ミルクの空缶等５の装着を完了し、乳幼児の就寝中にミルクの空缶等５が移動していくことはない。
【産業上の利用可能性】
【０００８】
本考案の活用例として個人宅内での就寝時のほかに、集団生活の中での昼寝等の用途にも適用できる。
【図面の簡単な説明】
【０００９】
【図１】ミルク缶を装着した実施例を示した平面図である。
【００１０】
【図２】ミルク缶を装着し、乳幼児が就寝した実施例を示したＡ-Ｂ線の断面図である。
【符号の説明】
【００１１】
１  右収納物固定袋
２  左収納物固定袋
３  マット
４  乳幼児就寝位置
５  ミルクの空缶等装着位置
【図１】
0003106214.tif 000003
【図２】
0003106214.tif 000004
(57)【要約】【課題】水引を外すことなく紙幣等の出し入れが可能であり、かつ何回でも封止、開封が可能な金封を提供すること。【解決手段】祝儀袋等の紙製の金封１０は長方形の封筒形状であり、水引１２が装着されている。上部に開口部を備え、開口部の表側から略台形の蓋片１１が延びており、蓋片を裏側に折り返した場合に一部が蓋片と重なる位置に蓋片係止用切り込み１３、１４が設けられている。本考案の金封は、水引１２を外すことなく紙幣等の出し入れが可能であり、蓋片１１の封止、開封が容易であり、かつ何度でも封止、開封を行うことができる。また、構造が簡単で製造も容易であり、安価にできる。【選択図】図１
0003106283.tif 000002
【実用新案登録請求の範囲】
【請求項１】
長方形の封筒形状であり、一辺に開口部を備え、前記開口部の表側から略台形の蓋片が延びており、前記蓋片を裏側に折り返した場合に一部が前記蓋片と重なる位置に蓋片係止用切り込みが設けられていることを特徴とする金封。
【請求項２】
長方形の封筒形状であり、一辺に開口部を備え、前記開口部の表側から略台形の蓋片が延びており、前記蓋片を裏側に折り返した場合に一部が前記蓋片と重なる位置に蓋片係止用切り込みが設けられており、前記切り込みの形状は角の丸いコ字状、半円状、半楕円状のいずれかであり、かつ前記切り込みは前記蓋片を切り込みに挿入して係止可能な位置および方向に設けられていることを特徴とする金封。
【考案の詳細な説明】
【技術分野】
【０００１】
本考案は、祝儀袋や香典袋などの金封に関するものである。
【背景技術】
【０００２】
従来、紙幣等を入れる紙製の祝儀袋や香典袋などの金封としては、紙を縦にほぼ３等分して左右から中央へ折り畳み、更に上下を裏側に折り畳んで、水引を装着して折り畳んだ部分を留めていた。しかし、この構造の金封は、紙幣等の出し入れが面倒であり、また水引を着脱する時に水引の形状が崩れてしまうという欠点があった。この改善策として、下記の特許文献１には、封筒形式の金封が開示されている。この金封は水引を外すことなく、上部の開口部から紙幣等の出し入れが可能である。
【特許文献１】特許第３１４９０２０号公報
【考案の開示】
【考案が解決しようとする課題】
【０００３】
上記した封筒形式の金封においては、上部開口部の蓋片を粘着剥離紙または粘着シールにて封止する構造になっている。しかし、蓋片に粘着剥離紙を装着したり、粘着シールを添付するには手間や費用がかかり、かつ粘着剥離紙または粘着シールは一度封止してしまうと開封するためには袋やシールを切るしか手段がないので、誤って封止してしまった場合には、開封して金封を交換しなければならないという問題点があった。
【０００４】
本考案の目的は、水引を外すことなく紙幣等の出し入れが可能であり、かつ何回でも封止、開封が可能な金封を提供することにある。
【課題を解決するための手段】
【０００５】
本考案者は、金封は直接相手に手渡すものであるので、郵便物のように厳重に封止する必要がなく、むしろ簡単に開封できる方が好ましい点に着目して本考案を行った。
本考案の金封は、長方形の封筒形状であり、一辺に開口部を備え、前記開口部の表側から略台形の蓋片が延びており、前記蓋片を裏側に折り返した場合に一部が前記蓋片と重なる位置に蓋片係止用切り込みが設けられていることを最も主要な特徴とする。
【考案の効果】
【０００６】
本考案の金封は、水引を外すことなく紙幣等の出し入れが可能であり、金封の裏面に開口部の蓋片を係止するための切り込みが設けられているため、蓋片の封止、開封が容易であり、かつ何度でも封止、開封を行うことができるという効果がある。また、構造が簡単で製造も容易であり、安価にできるという効果もある。
【考案を実施するための最良の形態】
【０００７】
以下、図面を参照して実施例を開示する。
【実施例１】
【０００８】
図１は、本考案の金封の実施例の金封１０の裏面の構成を示す平面図である。なお、実施例においては、祝儀袋の例を開示するが、香典袋も構造は同じである。金封１０は長方形の封筒形状であり、中央部に水引１２が装着されている。金封１０の上部には開口部を備え、この開口部の表側から略台形の蓋片１１が延びている。
【０００９】
金封の裏側の、蓋片１１を裏側に折り返した場合に一部が蓋片１１と重なる位置に蓋片係止用切り込み１３、１４が設けられており、この切り込みの形状は角の丸いコ字状（図１（ａ））、半円状（図１（ｂ））、半楕円状のいずれかである。この切り込み１３、１４は蓋片１１を切り込みに挿入して係止可能な位置および方向に設けられている。図１（ｃ）、（ｄ）は蓋片１１を切り込み１３あるいは１４に挿入して係止した状態を示している。
【００１０】
図２、図３は本考案による金封全体の組み立て工程を示す平面図である。本考案の金封は、金封本体１０、蓋片１１、３種類の飾り紙片３０、３１、３２および水引１２からなる。なお、この他に、図示されていないが紙幣等を入れる中袋および氏名等を記載して表に装着する短冊３枚が添付される。
【００１１】
本体１０は、図２においては、裏側から見た図を示しており、裏面２０には切り欠き１３が設けられている。まず、裏面の８割弱程度の幅の前右部２１には飾り紙片３０がのりや両面テープによって固着され、裏面の３割程度の幅の前左部２２には飾り紙片３１、３２がのりや両面テープによって固着される。なお、飾り紙片３１は前右部２１と重なる部分よりわずかに左側にはみ出す位置に固着される。
【００１２】
次に、本体１０の糊代部２３を前側に折り畳み、糊代部の表側に糊をつけてから、前左部２２を前側に折り畳み、更に前左部２２の前右部２１と重なる部分に糊をつけてから前右部２２を前側に折り畳む。以上の工程により、図３左に示すような蓋のない封筒状の本体が完成する。次に、蓋片１１の糊代部２４の表側に糊をつけて、前右部２１および前左部２２の開口部内面に固着する。最後に水引１２を装着して金封１０が完成する。
【図面の簡単な説明】
【００１３】
【図１】本考案の金封の実施例の金封の裏面の構成を示す平面図である。
【図２】本考案による金封全体の組み立て工程（１）を示す平面図である。
【図３】本考案による金封全体の組み立て工程（２）を示す平面図である。
【符号の説明】
【００１４】
１０…金封
１１…蓋片
１２…水引
１３、１４…切り欠き
【図１】
0003106283.tif 000003
【図２】
0003106283.tif 000004
【図３】
0003106283.tif 000005
(57)【要約】【課題】  パンが日持ちして柔らかく、風味や甘さの持続を可能にするケースの提供。【解決手段】  板厚３ｍｍ〜８ｍｍの桐板材で縦・横寸法を１３ｃｍ〜２６ｃｍ、高さ寸法を１５ｃｍ〜２０ｃｍとなした箱本体と、同桐板材で該本体上部を被覆する深さ２ｃｍ〜４ｃｍの蓋体とから構成したことを特徴とする。【選択図】      図２
0003106290.tif 000002
【実用新案登録請求の範囲】
【請求項１】
板厚３ｍｍ〜８ｍｍの桐板材で縦・横寸法を１３ｃｍ〜２６ｃｍ、高さ寸法を１５ｃｍ〜２０ｃｍとなした箱本体と、同桐板材で該本体上部を被覆する深さ２ｃｍ〜４ｃｍの蓋体とから構成したことを特徴とするパンケース。
【請求項２】
桐板材は巾寸法３ｃｍ〜６ｃｍの単板を並設する構成になしたことを特徴とする請求項１記載のパンケース。
【請求項３】
蓋の上面及び又は側面に適宜見出し文字を表示したことを特徴とする請求項１又は２記載のパンケース。
【考案の詳細な説明】
【技術分野】
【０００１】
本考案は食パンの１斤、１．５斤、或いは２斤などを品質を損なうことなく一定期間の良好な保存を可能にする箱体に関する。
【背景技術】
【０００２】
市販の食パンを購入して２〜３日間保存しようとするさいには、専ら冷蔵庫に入れたり、或いはプラスチック製の食パンケースに入れて保存することが行われている。
【特許文献１】実開昭６３−９７６８２号
【考案の開示】
【考案が解決しようとする課題】
【０００３】
上記の冷蔵庫に入れる場合は、他の食品の臭いが移ったり、又水分が飛んだりするのであり、また今日のプラスチックケースでは一時的な保管は兎も角として、経時的にパン生地の良好な環境を損なわしめると言う問題がある。
本考案は上記の問題点を解決せんとするものである。
【課題を解決するための手段】
【０００４】
本考案は、板厚３ｍｍ〜８ｍｍの桐板材で縦・横寸法を１３ｃｍ〜２６ｃｍ、高さ寸法を１５ｃｍ〜２０ｃｍとなした箱本体と、同桐板材で該本体上部を被覆する深さ２ｃｍ〜４ｃｍの蓋体とから構成したものである。
【考案の効果】
【０００５】
本考案は肉厚３ｍｍ〜８ｍｍの桐板材を使用するものであって、本考案者の幾多の研究の結果上記肉厚寸法のもので作成する箱体が、食パン生地と外気との環境保全上の点で一番優れるものであることが解った。即ち上記条件の桐材は湿度の高い時には膨張して湿気が中まで入らず、乾燥時には収縮して乾いた空気が入る微妙な調整を可能になし、パン生地を損なわしめず、柔らかさと風味や甘さが一定期間（実験結果では２〜３日間）変わることのない日持ちを可能にすることができた。
本考案に於ける箱体の大きさ寸法は任意に設計することができるが、実用的な大きさ寸法で１斤用、１．５斤用、或いは２斤用などとするのである。
【考案を実施するための最良の形態】
【０００６】
図１は本考案に係る食パンケースの斜視図であって、Ａは箱本体１を、Ｂは蓋体２を示す。
図示は１．５斤用を示すものであって、本体１の縦・横及び高さ寸法は２２ｃｍ×１６ｃｍ×１８ｃｍである。而して、蓋体２は上記箱本体１の上方へ被覆させるもので、その深さは凡そ２ｃｍ〜４ｃｍとなされる。
ここに、上記箱本体１及び蓋体２は共に肉厚を３ｍｍ〜８ｍｍとなした桐１００％の素材で作成するのであり、作成にさいしては巾寸法Ｓを凡そ３ｃｍ〜６ｃｍとなした単板１ａ，１ｂ，１ｃ，・・・を並設状態にしてつなぎ合わせて作成すると良い。
【０００７】
図２は図１に於ける本体１に蓋２を被せた斜視図である。このさい、箱本体１と蓋体２との間隙寸法は１ｍｍ〜２ｍｍ程度となされている。
【０００８】
本考案は、上記の如く構成するのであり、且つ蓋体上面及び又はその側面の適当箇所には、「Ｂｒｅａｄ」などの適宜な文字や絵３などを表示したものとなすのであり、これにより識別容易にすることができる。
【０００９】
本考案品は桐の木質をそのままの状態で高級感を醸し出すことができるのであり、且つ湿気を寄せ付けず、パン生地に好適な環境保持の図れるものとなるのである。本考案者の実験によれば梅雨の時分に於いても２〜３日は、食パン自体の柔らかさと風味や甘みを損なわせず、またカビが生えにくいものであった。
【図面の簡単な説明】
【００１０】
【図１】本考案に係る食パンケースの斜視図であって、Ａは箱本体、Ｂは蓋体である。
【図２】箱本体に蓋を被せた全体斜視図である。
【符号の説明】
【００１１】
１      箱本体
２      蓋体
【図１】
0003106290.tif 000003
【図２】
0003106290.tif 000004
(57)【要約】      （修正有）【課題】布団干しの落下防止具として、簡単に装着でき、収納にも場所を取らない布団干し用落下防止具を提供すること。【解決手段】所定のケース２の中心部に渦巻き型の長尺スプリング４を設置し、該長尺スプリングの外側端末に、同じく渦巻き状にした長尺の紐帯５を連結し、紐帯の先端がケースの一端から引き出せるようにし、該紐帯の先端に紐帯止め６及び連結環７を取り付け、ケースの紐帯引き出し側側面に紐帯のストッパー機構８を設け、ケースの両側面に開閉式掛止具９、１０を取り付ける。【選択図】図１
0003106237.tif 000002
【実用新案登録請求の範囲】
【請求項１】
所定のケースの中心部に渦巻き型の長尺スプリングを設置し、該長尺スプリングの外側端末に、同じく渦巻き状にした長尺の紐帯を連結し、紐帯の先端がケースの一端から引き出せるようにし、該紐帯の先端に紐帯止め及び連結環を取り付け、ケースの紐帯引き出し側側面に紐帯のストッパー機構を設け、ケースの両側面に開閉式掛止具を取り付けた、布団干し用落下防止具。
【考案の詳細な説明】
【技術分野】
【０００１】  本考案は、布団干し用の落下防止具に関するものである。
【背景技術】
【０００２】  従来、ベランダ等に布団を干す場合の落下防止具としては、洗濯バサミのように布団を挟んで留める布団バサミの方法が一般的に広く行われている。
しかし、この布団バサミの場合、強風に煽られて片側がめくれると、布団バサミのスプリング抑止力以上の力がかかり、布団が飛んで落下してしまう場合がある。
特に高層アパートのベランダ等に干していた場合、布団の落下により地上の人に怪我を負わせる場合もある。【０００３】  このため、布団が飛ばないよう紐帯で布団を固定する方法が考えられた。
これに関する文献としては、例えば下記のものがある。
【特許文献１】  特開２０００−１７６１９６
【特許文献２】  特開平１１−０９００９０
【考案の開示】
【考案が解決しようとする課題】
【０００４】  特開２０００−１７６１９６においても、特開平１１−０９００９０においても、紐帯により布団を挟んで落下を防止するという点においては優れたものと言える。
しかし、これらの紐帯式落下防止具は、使用後はそのままの長さなので、収納にも嵩張って場所を取る。
本考案は、布団を干すときは簡単に装着でき、収納にも場所を取らない布団干し用落下防止具を提供しようとするものである。
【課題を解決するための手段】
【０００５】  所定のケースの中心部に渦巻き型の長尺スプリングを設置し、該長尺スプリングの外側端末に、同じく渦巻き状にした長尺の紐帯を連結し、紐帯の先端がケースの一端から引き出せるようにし、該紐帯の先端にターミナル及び連結環を取り付け、ケースの紐帯引き出し側側面に紐帯のストッパー機構を設け、ケースの両側面に開閉式掛止具を取り付けた、布団干し用落下防止具である。
【考案の効果】
【０００６】  本考案を使用することにより、ベランダ等に干した布団が落下するのを防止することが簡単にできる。開閉式掛止具を利用することにより、枕等を同時に干すことができる。
また、本考案は巻き込み式なので、収納に場所をとらない。
【考案を実施するための最良の形態】
【０００７】  ケース（２）の略中心にスプリング止め（３）を設け、これに渦巻き状の長尺スプリング（４）を連結する。長尺スプリング（４）の外側端末に、同じく渦巻き状の紐帯（５）を連結し、紐帯（５）の先端が紐帯引出口（２ａ）から引き出せるようにする。紐帯（５）の先端に紐帯止め（６）を取り付け、紐帯止め（６）に連結環（７）を取り付ける。
ケース（２）の紐帯（５）の引き出し側にストッパー（８）を設ける。ストッパー（８）は、上下にスライドできる構造とし、上にスライドした時はストッパーが外れ、下にスライドした時はストッパーが掛かる構造とする。これにより、紐帯（５）を任意の長さに引出してストッパー（８）を掛ければその長さで固定する。
ケース（２）の両側面に掛止具止め（２ｂ）及び掛止具止め（２ｃ）を設け、それぞれに開閉式掛止具（９）及び開閉式掛止具（１０）を取り付ける。【０００８】  紐帯（５）の材質は、弾力性のあるプラスチック帯が適当と思われる。プラスチック帯以外でも、弾力性と柔軟性のある素材ならば使用が可能である。
開閉式掛止具（９）及び開閉式掛止具（１０）は、スプリング開閉式の連結環等が市販されているのでこれを使用することができる。【０００９】  本考案は、図３のように横に渡して掛けてもよいし、図４のように縦に掛けてもよい。また、開閉式掛止具（９）又は開閉式掛止具（１０）のいずれかを利用して、枕等の小物を干すことができる。
【図面の簡単な説明】
【００１０】
【図１】  本考案の正面図（一部破断図）
【図２】  本考案の左側面図
【図３】  本考案の使用状態を示す参考図１
【図４】  本考案の使用状態を示す参考図２
【符号の説明】
【００１１】１    本考案の布団干し用落下防止具
２    ケース
２ａ  紐帯引出口
２ｂ  掛止具止め
２ｃ  掛止具止め
３    スプリング止め
４    長尺スプリング
５    紐帯
６    紐帯止め
７    連結環
８    ストッパー
９    開閉式掛止具
１０  開閉式掛止具
１１  布団
【図１】
0003106237.tif 000003
【図２】
0003106237.tif 000004
【図３】
0003106237.tif 000005
【図４】
0003106237.tif 000006
(57)【要約】【課題】発光部品を設けたドアサイドプロテクションモールである車両用ドアの安全装置を提供する。【解決手段】  サイドプロテクションモール本体２０、透明カバー２１、サーキットボード２２及び発光体２３等の部品により構成され、サイドプロテクションモール本体２０を車両のドア等の側面に取り付け、サイドプロテクションモール本体２０底部にはサーキットボード２２を設けるとともに適宜に発光体２３を設け、上面には透明カバー２１を嵌め込んで、電源を供給して発光体２３が発光すればサイドプロテクションモール本体２０を発光させ、走行時には、安全性の効果及び照明効果となり、横を走行する別の車両、又は歩行者が該車両を注意できる効果となり、車両が別の車両側面に追突してしまう事故を減し、運転者、及び車両に乗っている人の安全性を増強する。【選択図】  図２
0003106231.tif 000002
【実用新案登録請求の範囲】
【請求項１】
サイドプロテクションモール本体、透明カバー、サーキットボード及び発光体等の部品により構成し、
これらを車体のドアパネルへ装着し、
サイドプロテクションモールが発光することを特徴とする車両用サイドプロテクションモール。
【考案の詳細な説明】
【技術分野】
【０００１】
本考案は一種のサイドプロテクションモールに関する。特に、発光を伴う車両用サイドプロテクションモールを提供する。
【背景技術】
【０００２】
従来のサイドプロテクションモール(例えば、特許文献１)は、図１に示すように、車両用ドアパネルへサイドプロテクションモール10を設け、該サイドプロテクションモール10は車体のデザインによりその型は様々であるが、平均的に棒状を呈すものであり、該公知サイドプロテクションモール10はドアパネルの保護を目的としており、安全性などは重視されておらず、公知車両は、車体の前後にランプを具有するだけであり、夜間走行する時など、車体の側面は暗く、はっきりと見えないため、横にいる別の車両、歩行者等は横の車両の存在に気が付きにくく、車両が別の車両側面に追突してしまう事故が起こり、運転手、車両に乗っている人の安全を確保することは難しい。
【特許文献１】特開平５−３０１５２２号公報
【考案の開示】
【考案が解決しようとする課題】
【０００３】
公知のサイドプロテクションモールは、ドアを保護する役割を主とし、安全性に関しては、重視されておらず、横を走行する別の車両、又は歩行者は、横の車両の存在に気が付きにくく、車両が別の車両側面に追突してしまう事故が起き、車体前後に設けるランプだけでは、安全面において、不十分である。
本考案は上記構造の問題点を解決するため、安全性を増強した発光部品を具有するサイドプロテクションモールを提供するものである。
【課題を解決するための手段】
【０００４】
上記課題を解決するため、本考案は下記の発光部品を具有するサイドプロテクションモールである。
それは、サイドプロテクションモール本体、透明カバー、サーキットボード及び発光体により構成し、車両のドアパネルに設ける本考案の発光部品を具有するサイドプロテクションモールにより、夜間車両を走行する時、横を走行する別の車両、歩行者などに車両の位置を明確に示し、安全性を増強するものである。
すなわち、請求項１の考案は、サイドプロテクションモール本体、透明カバー、サーキットボード及び発光体等の部品により構成し、これらを車体のドアパネルへ装着し、サイドプロテクションモールが発光することを特徴とする車両用サイドプロテクションモールである。
【考案の効果】
【０００５】
本考案によれば、車両に設けるサイドプロテクションモールへ発光部品を設けることにより、安全性を高める効果を増強することができる。
【考案を実施するための最良の形態】
【０００６】
本考案の好適な実施例を図面を参照して説明すると、図２、３、４に示すように、本考案の実施例は、サイドプロテクションモール本体２０、透明カバー２１、サーキットボード２２及び発光体２３等の部品により構成され、車両のドア等の側面にサイドプロテクションモール本体２０を取り付け、サイドプロテクションモール本体２０底部にはサーキットボード２２を設けるとともに適宜に発光体２３を設け、サイドプロテクションモール本体２０の上面には透明カバー２１を嵌め込んだもので、電源を供給して発光体２３が発光すればサイドプロテクションモール本体２０の全体が発光する。
【０００７】
本考案の実施例のサイドプロテクションモールは射出成型を利用して製造されたもので、サイドプロテクションモール２０を装着する場所は、車両のドアパネルの側面、上方等の場所を含んでおり、使用に際しては、車両の電気回路システムと連接し（公知の電気回路技術に属するため、ここであえて説明しない。）、夜間走行する時、電気回路をオンの状態にすると電源が供給され発光体２３が発光し、車両のドアパネルに設けるサイドプロテクションモールが発光する。
したがって、走行時には、安全性の効果及び照明効果となり、横を走行する別の車両、又は歩行者が該車両を注意できる効果となり、車両が別の車両側面に追突してしまう事故を減らす効果となり、運転者、及び車両に乗っている人の安全性を増強する。
【０００８】
上記の本考案の実施例のサイドプロテクションモールは、車両のデザインに合わせるべく、異なる型に設けることができ、車体へ装着する方法も、公知の粘着式、ボルトによる装着などであるため、ここでは、あえて説明しない。
【０００９】
本考案の発光体の発光方法は、本考案の特徴を損なうものでなければ、実施例に限定されることはなく、勿論、公知の連続発光、間歇発光などの発光方法を含むものである。
【図面の簡単な説明】
【００１０】
【図１】公知車両の構造立体図である。
【図２】本考案の実施例の車両の構造図である。
【図３】本考案の実施例の立体図である。
【図４】本考案の実施例の断面図である。
【符号の説明】
【００１１】
10    サイドプロテクションモール
20    サイドプロテクションモール本体
21    透明カバー
22    サーキットボード
23    発光体
【図１】
0003106231.tif 000003
【図２】
0003106231.tif 000004
【図３】
0003106231.tif 000005
【図４】
0003106231.tif 000006
(57)【要約】【課題】飾りに、立体感と自然の温もりを感じることができる箱の提供【解決手段】この考案の箱Ａは、蓋１と身２からなり、蓋１の中央部に凹部３を設け、凹部３に、生花、乾し花又は造花等からなる花４を装着するか、または蓋１の表面に飾りとして、ゴムの木の葉、椿の葉など網状脈がしつかりしている樹木の葉の葉身を除去した葉脈５を貼り付けて構成されている。したがって、高級感と自然の温もりを備え、インテリヤ用の飾り箱としても利用できる。【選択図】 図２
0003106239.tif 000002
【実用新案登録請求の範囲】
【請求項１】
蓋と身からなる箱であって、蓋の中央部に凹部を設け、該凹部に花を装着してなることを特徴とする箱
【請求項２】
蓋と身からなる箱であって、蓋の表面に飾りとして、樹木の葉の葉身を除去した葉脈を貼り付けてなることを特徴とする箱
【考案の詳細な説明】
【技術分野】
【０００１】
この考案は、蓋と身からなる箱であって、特に蓋の飾りに特徴を有する箱に関するものである。
【背景技術】
【０００２】
菓子・パン、缶詰、乾物等の食品類、石鹸、タオル等の日常小物品等からなる贈答品類を入れるための蓋と身からなる箱の飾りとしては、花や風景等の図柄をプリントした紙またはプラスチックシ−ト等を蓋の表面や身の側面に貼り付けていたので、次のような問題点があった。
【０００３】
（１）飾りが平面的であり、迫力に乏しい。
（２）自然の温もりが乏しい。
（３）自然を感じることができない。
（４）インテリアとして長期に飾っておくと、飽きがくる。
【特許文献１】実開平３−４３４０８号公報
【考案の開示】
【考案が解決しようとする課題】
【０００４】
この考案は、背景技術で記述した問題点を解消するためになされたもので、飾りに、立体感と自然の温もりを感じることができる箱の提供を目的とするものである。
【課題を解決するための手段】
【０００５】
この考案の箱は、蓋と身からなる箱であって、蓋の中央部に凹部を設け、該凹部に花を装着していることを特徴とするものである。
【０００６】
この考案の箱は、蓋と身からなる箱であって、蓋の表面に飾りとして、樹木の葉の葉身を除去した葉脈を貼り付けていることを特徴とするものである。
【考案の効果】
【０００７】
この考案は上述のように構成されているので、次のような効果を呈する。
（１）蓋の中央部に凹部を形成し、該凹部に花を装着しているので、立体的で、高級感を感じることができる。
（２）蓋の表面に、樹木の葉の葉身を除去した葉脈を貼り付けているので、自然の温もりを感じることができる。
（３）自然を感じることができる。
（４）インテリアとして長期に飾っておいても、飽きがこない。
【考案を実施するための最良の形態】
【０００８】
飾りに、立体感と自然の温もりを感じることができる箱の提供という目的を、蓋の中央部に設けた凹部に花を装着し、または蓋の表面に樹木の葉の葉身を除去した葉脈を貼り付けることによって実現できた。
【実施例】
【０００９】
この考案の実施の形態の一例を図面を参照しながら説明するに、蓋１と身２からなる箱Ａであって、図１に示すように、蓋１の中央部に凹部３を設け、図２に示すように、凹部３に花４を装着している。
【００１０】
図１（ａ）は蓋１を身２に冠着させる構造の箱の斜視図であり、図１（ｂ）は蓋１が身２に屈曲可能に連結された構造の箱の斜視図である。
【００１１】
花４は、生花、乾し花又は造花であってもよい。花４は、凹部３の底に、接着剤、紐、バインド線等によって固定される。
【００１２】
また、図３に示すように、蓋１と身２からなる箱Ａであって、蓋１の表面に飾りとして、図４に示すように、樹木の葉の葉身を除去した葉脈５を貼り付けている。
【００１３】
なお、葉脈５には、適宜に色彩を施すことは自由である。葉脈５を作るための樹木の葉としては、特に限定はないが、ゴムの木の葉、椿の葉など網状脈がしっかりしている常緑樹の葉などが適当である。
【００１４】
箱Ａを構成する材質については、特に限定はなく、例えば、紙、木、竹、パ−ム、プラスチック等が適用できる。
【００１５】
箱Ａが大型で、身２の露出面積が大きい場合には、身２の外側表面に、樹木の葉の葉身を除去した葉脈５を貼り付けてもよい。
【産業上の利用可能性】
【００１６】
この考案は上述のように構成され、立体的な飾り又は自然の温もりを表現した飾りを備えているので、インテリヤ用の飾り箱としても利用が可能である。
【図面の簡単な説明】
【００１７】
【図１】凹部に花を装着する前の状態の一例を示す斜視図
【図２】図１において、凹部に花を装着した状態の一例を示す斜視図
【図３】蓋の表面に樹木の葉の葉身を除去した葉脈を貼り付けた状態の一例を示す斜視図
【図４】樹木の葉の葉身を除去した葉脈の一例を示す平面図
【符号の説明】
【００１８】
１ 蓋
２ 身
３ 凹部
４ 花
５ 樹木の葉の葉身を除去した葉脈
Ａ 箱
【図１】
0003106239.tif 000003
【図２】
0003106239.tif 000004
【図３】
0003106239.tif 000005
【図４】
0003106239.tif 000006
(57)【要約】【課題】  料理をする場合、水の量は大事であり、非常に見易い目安がある鍋を提供する。【解決手段】  鍋の内側に容積の半分位のところに水平に水位線を入れることにより、その線が水の分量の目安になる。【選択図】  図１
0003106330.tif 000002
【実用新案登録請求の範囲】
【請求項１】
鍋の内側に容積の半分位のところに水平に水位線のある鍋。
【請求項２】
請求項１の水位線の上部又は下部が着色している鍋。
【考案の詳細な説明】
【考案の開示】
【考案が解決しようとする課題】
【０００１】  料理する場合、水の量を計量カップで測ることが望ましいが、目分量で水を入れることが多い。料理学校では目盛りのついた鍋が使われているが、鍋につけられた目盛りは非常に見にくいという欠点がある。
【考案を解決するための手段】
【０００２】  鍋の内側に容積の半分位のところに水平に水位線を入れることにより、この線が水の量の目安になる。
【０００３】  この水位線の作製方法としては、レ−ザ−加工で刻印するか又は水に不溶な耐熱性塗料で印刷することが考えられる。
【考案の効果】
【０００４】  鍋の内側に入れた水位線はどの角度からも見易く、ある料理の時はこの水位線のところまで水を入れ、他の料理の時は水位線より少し上まで水を入れるというように水量の目安になる。
【図面の簡単な説明】
【図１】  本考案の水位線のある鍋の斜視図である。
【符号の説明】
▲１▼  鍋
▲２▼  水位線
【図１】
0003106330.tif 000003